(57)【要約】【課題】筐体の内部から外部への排熱を効率よく行うことを可能とし、温度変化に対して信頼性の高い磁気ディスク装置を提供すること。【解決手段】本発明に係る磁気ディスク装置Ｘ１は、スピンドルモータ１２によって回転駆動される磁気ディスク１１と、磁気ヘッド１３３を支持するとともに磁気ディスク１１に対するシーク動をさせるヘッドアクチュエータ１３と、磁気ディスク１１およびヘッドアクチュエータ１３を収容する筐体１４と、筐体１４の内部と外部との間を連通するように形成された通気孔１４２と、筐体１４内の温度変化に応じて通気孔１４２の開口面積を変化させる開口面積可変手段Ｃと、を備える。【選択図】図１
2008097684.tif 000002
【特許請求の範囲】
【請求項１】
スピンドルモータによって回転駆動される磁気ディスクと、
磁気ヘッドを支持するとともに上記磁気ディスクに対するシーク動をさせるヘッドアクチュエータと、
上記磁気ディスクおよび上記ヘッドアクチュエータを収容する筐体と、
上記筐体の内部と外部との間を連通するように形成された通気孔と、
上記筐体内の温度変化に応じて上記通気孔の開口面積を変化させる開口面積可変手段と、を備える磁気ディスク装置。
【請求項２】
上記開口面積可変手段は、上記筐体内の温度が高くなるほど上記開口面積が大きくなるように構成されている、請求項１に記載の磁気ディスク装置。
【請求項３】
上記開口面積可変手段は、温度センサの検出温度に連動するように構成されている、請求項２に記載の磁気ディスク装置。
【請求項４】
上記開口面積可変手段は、上記温度センサの検出温度に応じて、上記磁気ヘッドが上記磁気ディスクの外側に退避するアンロード状態において、上記ヘッドアクチュエータの動作に連動するように構成されている、請求項３に記載の磁気ディスク装置。
【請求項５】
上記開口面積可変手段は、温度変化によって動作される素子によって構成されている、請求項２に記載の磁気ディスク装置。
【発明の詳細な説明】
【技術分野】
【０００１】
本発明は、ハードディスクなどの磁気ディスクを用いて情報の記録再生を行う磁気ディスク装置に関する。
【背景技術】
【０００２】
磁気ディスク装置は、高速回転駆動される１枚または複数枚の磁気ディスクと、この磁気ディスクの表面に対して僅かに浮上して情報の読み書きを行う磁気ヘッドとを主構成要素として備え、さらに磁気ディスクの回転機構（スピンドルモータ）や磁気ヘッドの位置決め機構（ヘッドアクチュエータ）などを備えて構成されている。これらの構成要素は基本的には密閉された筐体の内部に収容されており、外部空気の侵入を防ぐ構造が採用されている。
【０００３】
このような磁気ディスク装置においては、装置の駆動に伴って、スピンドルモータやヘッドアクチュエータコイルが発熱し、筐体内部の温度が上昇する傾向にある。かかる温度上昇に起因して筐体内部の圧力が変動し、筐体内外での圧力差が大きくなると、筐体やその内部の構成要素の歪みに起因して磁気ディスクからの磁気ヘッドの浮上量が変化し、磁気ディスクに対する読み書き動作不良を招く虞がある。これを防止するため、筐体には一般に呼吸孔と呼ばれる微小な通気孔が形成されており、筐体内外の圧力が略均一となるように構成されている（例えば、特許文献１を参照）。
【０００４】
ところで、磁気ディスク装置は、小型化と大容量化が進み、モバイル型のパソコンに搭載されているほか、近年では、車載用のナビゲーションシステムや携帯型のミュージックプレーヤーなどに搭載され、その用途が拡大している。このため、磁気ディスク装置の使用環境としては、モバイル環境や車内環境といった比較的高温になりやすい環境が増える傾向にある。また、磁気ディスク装置は、磁気ディスクの高記録密度化により、小型でありながら記録容量を比較的大きくすることができ、しかもアクセス時間を短くできるという利点がある。その一方、磁気ディスクの高記録密度化が進むと、磁気ディスクのデータ記録領域における磁性粒子の磁化方向が熱エネルギーによって変化しやすくなり、いわゆる熱揺らぎと呼ばれるデータ消失の不具合を招く場合がある。これを回避するため、磁気ディスク装置においては、温度センサの検知により、所定温度以上の高温状態では、磁気ディスクに対して読み書き動作を停止する措置が講じられている。
【０００５】
しかしながら、上記のモバイル環境や車内環境では磁気ディスク装置の筐体内が高温状態になりやすく、その結果、読み書き動作の停止時間が比較的に長くなる。そうすると、利用者においては待ち時間が長くなり、好ましくない。加えて、高温状態が長時間続くとデータ消失などの不具合が生じる虞がある。筐体には上述した通気孔が設けられているものの、上記通気孔は筐体内外の圧力を均一に保つための比較的小さなものであるため、上記通気孔を介しての効率的な排熱を期待することはできない。
【０００６】
【特許文献１】特開２００２−３６７３６０号公報
【発明の開示】
【発明が解決しようとする課題】
【０００７】
本発明は、このような事情のもとに考えだされたものであって、筐体内部が高温状態になったときに筐体の内部から外部への排熱を効率よく行うことを可能とし、温度変化に対して信頼性の高い磁気ディスク装置を提供することを課題としている。
【課題を解決するための手段】
【０００８】
上記の課題を解決するため、本発明では、次の技術的手段を採用した。
【０００９】
本発明によって提供される磁気ディスク装置は、スピンドルモータによって回転駆動される磁気ディスクと、磁気ヘッドを支持するとともに上記磁気ディスクに対するシーク動をさせるヘッドアクチュエータと、上記磁気ディスクおよび上記ヘッドアクチュエータを収容する筐体と、上記筐体の内部と外部との間を連通するように形成された通気孔と、上記筐体内の温度変化に応じて上記通気孔の開口面積を変化させる開口面積可変手段と、を備える。好ましくは、上記開口面積可変手段は、上記筐体内の温度が高くなるほど上記開口面積が大きくなるように構成されている。
【００１０】
本発明のこのような構成によれば、筐体に形成された通気孔については、筐体内の温度が高くなるほどその開口面積が大きくなるため、当該通気孔を介して筐体の内外の通気が効率的に行われる。すなわち、筐体内が高温状態にあるときに筐体内部から外部への排熱がスムーズに行われ、その結果、所定温度以上の高温状態において磁気ディスクに対して読み書き動作を停止する時間を短くすることができる。一方、筐体内部の温度が比較的低い場合には、通気孔が閉塞される、或は、通気孔の開口面積が小さい状態にあり、外部の湿度環境、腐食性ガスなどの影響は受けにくい。
【００１１】
好ましい実施の形態においては、上記開口面積可変手段は、温度センサの検出温度に連動するように構成されている。
【００１２】
この場合において好ましくは、上記開口面積可変手段は、上記温度センサの検出温度に応じて、上記磁気ヘッドが上記磁気ディスクの外側に退避するアンロード状態において、上記ヘッドアクチュエータの動作に連動するように構成されている。具体的には、例えばヘッドアクチュエータと通気孔を塞ぐための蓋とをラッチ機構などによって係脱可能に連結することにより実現することができる。
【００１３】
この場合においてより好ましくは、上記筐体に設けられたフィルタに紫外線を照射する紫外線照射手段をさらに備え、上記紫外線照射手段は、上記開口面積可変手段に連動して駆動する。具体的には、例えば、通気孔の開口面積が相対的に大きい状態のときに紫外線照射を行うと、フィルタに吸収ないし吸着されたガスを分解することができるとともに、当該分解ガスを筐体の外部に効率よく排出することができる。したがって、このような構成によれば、フィルタの性能を適切に回復することができる。
【００１４】
この場合においてさらに好ましくは、上記開口面積が相対的に大きい状態における上記スピンドルモータの回転数は、上記磁気ヘッドが情報の読み書きを行う際の上記スピンドルモータの回転数に対して変化させられる。通気孔を介しての効率的な排熱を期待するには、磁気ディスクを回転させて、筐体内部に存する気体に流動性を与えることが好ましい。ここで、例えば磁気ヘッドが情報の読み書きを行う際のスピンドルモータの回転数が比較的に大きい場合には、スピンドルモータ自体が主たる発熱源となりやすい。したがって、この場合、通気孔の開口面積が相対的に大きい状態におけるスピンドルモータの回転数を読み書き時におけるよりも小さく設定することにより、筐体内での発熱を抑制し、筐体内の温度を効率よく下げることができる。このように、通気孔の開口面積が相対的に大きい状態におけるスピンドルモータの回転数を読み書き時における回転数に対して適宜変化させることにより、より効率的に筐体内の温度を下げることができる。このことは、磁気ディスクに対して読み書き動作を停止する時間を短くするうえで好適である。
【００１５】
他の好ましい実施の形態においては、上記開口面積可変手段は、温度変化によって動作される素子によって構成されている。このような素子としては、例えばバイメタルや形状記憶合金を採用することができる。このような素子は温度変化に応答するため、当該素子を用いた構成を採用することにより、別途制御機構などを設けることなく通気孔の開口面積を段階的に変化させることが可能となり、開口面積可変手段の構造を簡略化することができる。
【００１６】
好ましい実施の形態においては、上記通気孔は、上記開口面積を変化させる手段によっても完全に閉塞されることがないように構成されている。このような構成によれば、通気孔を通じて常時的に筐体の内部と外部の圧力が略均一に保たれるので、通気孔を、呼吸孔として機能させることができる。
【００１７】
本発明のその他の特徴および利点は、添付図面を参照して以下に行う詳細な説明によって、より明らかとなろう。
【発明を実施するための最良の形態】
【００１８】
本発明の好ましい実施の形態について図面を参照しつつ具体的に説明する。図１および図２は、本発明の第１の実施形態に係る磁気ディスク装置Ｘ１を表す。図１は、磁気ディスク装置Ｘ１の平面図であり、図２は、図１の磁気ディスク装置Ｘ１の要部拡大縦断面図である。磁気ディスク装置Ｘ１は、磁気ディスク１１、スピンドルモータ１２、ヘッドアクチュエータ１３、開口面積可変機構Ｃ、および紫外線照射部Ｄを備え、筐体１４内にこれらの構成要素が収容配置された構造とされている。なお、図１においては、磁気ディスク装置Ｘ１の内部構造を示すために、筐体１４の一部を切欠いて表している。
【００１９】
磁気ディスク１１は、表面に情報の記録領域を有する円盤状とされており、筐体１４に固定されたスピンドルモータ１２により矢印Ａ方向に回転駆動可能とされている。ヘッドアクチュエータ１３は、磁気ディスク１１の側方に設けられており、ＶＣＭ（ボイスコイルモータ）などの駆動により軸１３１を中心として揺動させられるアーム１３２と、このアーム１３２の先端に取り付けられた磁気ヘッド１３３とを備える。より詳細には、図１および図２に示すように、アーム１３２の先端にはサスペンション１３４が取り付けられるとともに、このサスペンション１３４の先端に磁気ヘッド１３３およびタブ１３５が設けられている。磁気ヘッド１３３は、磁気ディスク１１上に位置するとき、磁気ディスク１１が所定の回転数で回転することにより、磁気ディスク１１に対して、僅かに浮上しつつ情報の読み書きを行う（ロード状態）。磁気ヘッド１３３は、アーム１３２が揺動することにより、軸１３１を中心とした円弧軌道を移動し、磁気ディスク１１に対するシーク動をすることができるとともに、磁気ディスク１１の外側に退避した位置（アンロード状態）をとることができる。また、磁気ヘッド１３３が磁気ディスク１１の外側に退避した際には、タブ１３５が磁気ディスク１１に隣接して設けられたランプ１４１に支持されるように構成されている。これにより、ロード／アンロード状態が切り替わる際において、磁気ヘッド１３３の磁気ディスク１１外への退避および磁気ディスク１１上への再進入が円滑に行われる。
【００２０】
筐体１４は、基本的にその内部と外部とを隔絶する密閉構造を有するとともに、その適所（本実施形態ではトップカバー部分）には筐体１４の内外に通じる通気孔１４２が設けられている。本実施形態において、通気孔１４２は、従来の通気孔よりも相対的に大きな開口面積を有する。通気孔１４２には、外部からの塵埃の侵入などを防止するための通気孔フィルタ１５が装着されている。また、筐体１４の内部には、有害ガスや水分を吸収するための循環フィルタ１６が設けられている。
【００２１】
また、筐体１４の内部には、図示しない温度センサが設けられている。当該温度センサとしては、例えばサーミスタを採用することができる。磁気ディスク装置Ｘ１においては、上記温度センサの検知により、筐体１４内部が所定温度以上の高温状態になったときには、磁気ヘッド１３３の磁気ディスク１１に対する情報の読み書きを停止してアンロード状態になるように制御される。
【００２２】
開口面積可変機構Ｃは、筐体１４内の温度変化に応じて通気孔１５の開口面積を変化させるためのものであり、ラッチ機構１７、および蓋１８を備える。ラッチ機構１７は、アーム側係合部材１７１と蓋側係合部材１７２とを備える。図２に表れているように、アーム側係合部材１７１は、アーム１３２に取り付けられた板ばね状のロッド１７１Ａと、ロッド１７１Ａの先端において図中上側に突出する係止片１７１Ｂ，１７１Ｃとを備え、蓋側係合部材１７２は、蓋１８に取り付けられた板ばね状のロッド１７２Ａと、ロッド１７２Ａの先端において図中下側に突出する係止片１７２Ｂとを備える。蓋１８は、通気孔１４２を塞ぐ部材であり、図示しないスライド機構などによって、通気孔１４２を覆う状態（図３（ａ）参照）と通気孔１４２の全体を開放する状態（図３（ｂ）参照）との間で変位可能とされている。そして、蓋１８が変位すると、通気孔１４２の開口面積が変化する。
【００２３】
アンロード状態において、アーム１３２が所定の位置に到達すると、ラッチ機構１７によってアーム側係合部材１７１と蓋側係合部材１７２とが係合状態となる。具体的には、係止片１７１Ｂのガイド面１７１ｄと係止片１７２Ｂのガイド面１７２ｄとによりロッド１７１Ａないしロッド１７２Ａが互いに離れる方向に比較的容易に変形し、図３（ａ）に示す係合状態となる。この係合状態においては、蓋側係合部材１７２の係止片１７２Ｂが、アーム側係合部材１７１の係止片１７１Ｂ，１７１Ｃ間に挟まれており、アーム１３２が揺動すると、このアーム１３２の動作に連動して蓋１８がスライド移動する。かかる係合状態においては、ヘッドアクチュエータ１３の駆動を制御して、アーム１３２を所望の位置に配置させることにより、通気孔１４２の開口面積を段階的に変化させることができる。例えば、アーム１３２を磁気ディスク１１から遠ざかる方向（図中左側）に揺動させると、蓋１８が図中左側に移動し、通気孔１４２の開口面積が大きくなる（図３（ｂ）参照）。
【００２４】
一方、アーム１３２を磁気ディスク１１に近接する方向（図中右側）に揺動すると、蓋１８が図中右側に移動し、通気孔１４２の開口面積が小さくなる。そして、蓋１８は、所定の位置に到達すると、通気孔１４２の近傍に設けられたストッパ１４３によって図中右側への移動が規制される（図３（ａ）参照）。この状態において、通気孔１４２の開口面積が最小となるが、通気孔１４２は蓋１８によって完全に閉塞されてはいない。このため、通気孔１４２を通じて筐体１４の内部と外部の圧力が常時的に略均一に保たれることとなり、通気孔１４２は、呼吸孔としての機能を兼ね備える。そして、アーム１３２がさらに磁気ディスク１１に近接する方向に移動すると、アーム側係合部材１７１と蓋側係合部材１７２との係合が解除される（解除状態）。
【００２５】
本実施形態においては、温度センサの検知により、磁気ディスク１１に対する読み書き動作を停止して、磁気ヘッド１３３が磁気ディスク１１の外側に退避したアンロード状態である場合に、例えば、上記温度センサにおける検出温度が高くなるほど通気孔１４２の開口面積が大きくなるように制御される。
【００２６】
また、温度センサの検知により、磁気ディスク１１に対する読み書き動作を停止して、磁気ヘッド１３３がアンロード状態にある場合には、スピンドルモータ１２は、適宜設定された回転数にて回転させられる。
【００２７】
紫外線照射部Ｄは、筐体１４内に設けられた紫外線領域の光を発光する光源１９を備え、光源１９からの紫外光を通気孔フィルタ１５や循環フィルタ１６に照射することができるように構成されている。本実施形態では、紫外線照射部Ｄは、開口面積可変機構Ｃに連動して駆動するように構成されている。具体的には、光源１９からの紫外光の照射は、開口面積可変機構Ｃにおけるラッチ機構１７が係合状態にあり、かつ通気孔１４２の開口面積が相対的に大きい状態のときに限り、行われる。通気孔フィルタ１５および循環フィルタ１６に紫外光が照射すると、当該フィルタ１５，１６に吸収ないし吸着された有害ガスなどが分解される。また、フィルタ１５，１６に例えば二酸化チタンやヒドロキシアパタイトなどの光触媒材料を付着させておくと、光触媒作用により有害ガス等の分解が促進され、好適である。上記光源１９としては、例えばＬＥＤを採用することができる。ＬＥＤの利用は、紫外線照射に係る消費電力を少なく抑えることができ、好適である。なお、紫外線照射部Ｄの駆動については、さらに他の所定条件を充足する場合に限って紫外光の照射を行うように構成してもよい。時間に関する条件を設定する場合には、例えば、タイマーに連動させて、フィルタの性能回復が必要であると思われる所定の時間が経過した後に紫外線照射部Ｄの駆動を開始させるとともに、紫外光の照射時間の累計が一定に達したときに紫外線照射部Ｄの駆動を停止させ、これを繰り返すように構成することができる。
【００２８】
磁気ディスク装置Ｘ１においては、筐体１４内の温度が高くなるほど、筐体１４に形成された通気孔１４２の開口面積が大きくなる。このため、筐体１４内が高温状態にあるときに、通気孔１４２を介して筐体１４の内外の通気が効率的に行われることになり、筐体１４内部から外部への排熱がスムーズになされる。その結果、所定温度以上の高温状態において磁気ディスク１１に対して読み書き動作を停止する時間を短くすることができる。一方、筐体１４内部の温度が比較的に低い場合には、通気孔１４２の開口面積が小さくなっており、筐体１４外部の湿度環境、腐食性ガスなどの影響は受けにくい。
【００２９】
本実施形態では、温度センサの検出温度に応じて、磁気ディスク１１に対する読み書き動作を停止して、磁気ヘッド１３３が磁気ディスク１１の外側に退避するアンロード状態において、ラッチ機構１７が係合状態となり、通気孔１４２を塞ぐ蓋１８がヘッドアクチュエータ１３の動作に連動するように構成されている。このような構成によれば、筐体１４において排熱が必要な読み書き動作停止時にのみ蓋１８の開閉動作が行われるため、蓋１８の動作頻度を必要最小限に抑えることができ、その結果、当該蓋１８の開閉動作にともなう塵埃の発生を抑制することができる。
【００３０】
また、本実施形態においては、通気孔１４２の開口面積が相対的に大きい状態におけるスピンドルモータ１２の回転数は、磁気ヘッド１３３が情報の読み書きを行う際のスピンドルモータ１２の回転数に対して変化させられる。例えば、読み書き時におけるスピンドルモータの回転数が１５，０００ｒｐｍ程度に達するような高速回転の場合には、スピンドルモータ１２自体が主たる発熱源となっていると考えられるので、アンロード状態（ここでは、通気孔１４２の開口面積が相対的に大きい状態）におけるスピンドルモータ１２の回転数を読み書き時におけるよりも小さくする。これにより、筐体１４内での発熱が抑制され、筐体１４内の温度を効率よく下げることができる。一方、読み書き時におけるスピンドルモータ１２の回転数が５，０００ｒｐｍ程度の低速回転の場合には、スピンドルモータ１２自体は主たる発熱源となっていないと考えられる。この場合、アンロード状態（通気孔１４２の開口面積が相対的に大きい状態）におけるスピンドルモータ１２の回転数を読み書き時におけるよりも大きくする。これにより、筐体１４内での気体の流動性が向上し、通気孔１４２を介して効率的な排熱を期待することができる。このように、アンロード状態（通気孔１４２の開口面積が相対的に大きい状態）におけるスピンドルモータ１２の回転数を読み書き時における回転数に対して適宜変化させることにより、より効率的に筐体１４内の温度を下げることが可能である。このことは、磁気ディスク１１に対して読み書き動作を停止する時間を短くするうえで好適である。
【００３１】
磁気ディスク装置Ｘ１においては、開口面積可変機構Ｃに連動する紫外線照射部Ｄが設けられており、通気孔１４２の開口面積が相対的に大きい状態のときにフィルタ１５，１６に紫外線が照射される。これにより、紫外線の照射により分解されたガスは、通気孔１４２を介して筐体１４の外部に効率よく排出される。したがって、このような紫外線照射部Ｄを備える構成によれば、フィルタ１５，１６の性能を適切に回復することができる。
【００３２】
なお、磁気ディスク装置Ｘ１においては、通気孔１４２が蓋１８によって完全に閉塞される状態をとることはないが、これと異なり、通気孔が蓋によって完全に閉塞される状態をとるように構成してもよい。この場合、筐体に別途呼吸孔を形成すればよい。
【００３３】
図４および図５は、本発明の第２の実施形態に係る磁気ディスク装置Ｘ２を表す。図４は、磁気ディスク装置Ｘ２の平面図であり、図５は、図４の磁気ディスク装置Ｘ２の要部拡大縦断面図である。磁気ディスク装置Ｘ２において、上記第１の実施形態に係る磁気ディスク装置Ｘ１と同一または類似の要素には、同一の符号を付しており、適宜説明を省略する。
【００３４】
磁気ディスク装置Ｘ２は、磁気ディスク１１、スピンドルモータ１２、ヘッドアクチュエータ１３、筐体１４、および開口面積可変機構Ｃ’を備える。なお、図４においては、図１と同様に筐体１４の一部を切欠いて表している。磁気ディスク装置Ｘ２においては、開口面積可変機構Ｃに代えて開口面積可変機構Ｃ’を備える点、および紫外線照射部Ｄを備えない点において、磁気ディスク装置Ｘ１と異なる。
【００３５】
開口面積可変機構Ｃ’は、温度変化によって動作させる素子を含み、本実施形形態では、バイメタルアクチュエータとして構成されたものである。開口面積可変機構Ｃ’は、バイメタルブレード１７’と、当該バイメタルブレード１７’の一端に取り付けられた蓋１８’とを備える。バイメタルブレード１７’は、熱膨張率の異なる２枚の金属ブレードが接合された構成とされており、当該両金属ブレードが筐体１４の外周面に接触する状態にて、上記蓋１８’が設けられた端部とは反対側の端部において、支点１７１’に接続固定されている。バイメタルブレード１７’は、筐体１４内が所定の高温状態にあるときに、筐体１４からの熱伝導により、図４にて仮想線で示すように、筐体１４の外周面内方向において変形し、これにともなって蓋１８’が変位する。このようなことから理解できるように、筐体１４内の温度が高くなるほど、通気孔１４２の開口面積が大きくなる。
【００３６】
磁気ディスク装置Ｘ２においては、筐体１４内の温度が高くなるほど、筐体１４に形成された通気孔１４２の開口面積が大きくなる。このため、筐体１４内が高温状態にあるときに、通気孔１４２を介して筐体１４の内外の通気が効率的に行われることになり、筐体１４内部から外部への排熱がスムーズになされる。その結果、所定温度以上の高温状態において磁気ディスク１１に対して読み書き動作を停止する時間を短くすることができる。一方、筐体１４内部の温度が比較的に低い場合には、通気孔１４２の開口面積が小さくなっており、筐体１４外部の湿度環境、腐食性ガスなどの影響は受けにくい。
【００３７】
また、このようにバイメタルアクチュエータなどの温度変化によって動作される素子を用いた本実施形態の構成によれば、通気孔１４２の開口面積を変化させるための制御機構などを別途設けることなく通気孔１４２の開口面積を段階的に変化させることができ、開口面積可変機構Ｃ’の構造を簡略化することができる。
【００３８】
なお、磁気ディスク装置Ｘ２においては、蓋１８’が筐体１４表面の面内方向において変位するように構成されているが、これに代えて、蓋が筐体１４表面の法線方向において変位するように構成してもよい。また、磁気ディスク装置Ｘ２においては、温度変化によって動作される素子としてバイメタルを用いたが、これに代えて、形状記憶合金を用いるなど他の構成を採用してもよい。
【００３９】
以上のまとめとして、本発明の構成およびそのバリエーションを以下に付記として列挙する。
（付記１）スピンドルモータによって回転駆動される磁気ディスクと、
磁気ヘッドを支持するとともに上記磁気ディスクに対するシーク動をさせるヘッドアクチュエータと、
上記磁気ディスクおよび上記ヘッドアクチュエータを収容する筐体と、
上記筐体の内部と外部との間を連通するように形成された通気孔と、
上記筐体内の温度変化に応じて上記通気孔の開口面積を変化させる開口面積可変手段と、を備える磁気ディスク装置。
（付記２）上記開口面積可変手段は、上記筐体内の温度が高くなるほど上記開口面積が大きくなるように構成されている、付記１に記載の磁気ディスク装置。
（付記３）上記開口面積可変手段は、温度センサの検出温度に連動するように構成されている、付記２に記載の磁気ディスク装置。
（付記４）上記開口面積可変手段は、上記温度センサの検出温度に応じて、上記磁気ヘッドが上記磁気ディスクの外側に退避するアンロード状態において、上記ヘッドアクチュエータの動作に連動するように構成されている、付記３に記載の磁気ディスク装置。
（付記５）上記筐体に設けられたフィルタに紫外線を照射する紫外線照射手段をさらに備え、
上記紫外線照射手段は、上記開口面積可変手段に連動して駆動する、付記３または４に記載の磁気ディスク装置。
（付記６）上記開口面積が相対的に大きい状態における上記スピンドルモータの回転数は、上記磁気ヘッドが情報の読み書きを行う際の上記スピンドルモータの回転数に対して変化させられる、付記３ないし５のいずれかに記載の磁気ディスク装置。
（付記７）上記開口面積可変手段は、温度変化によって動作される素子によって構成されている、付記２に記載の磁気ディスク装置。
（付記８）上記通気孔は、上記開口面積可変手段によっても完全に閉塞されることがないように構成されている、付記１ないし７のいずれかに記載の磁気ディスク装置。
【図面の簡単な説明】
【００４０】
【図１】本発明の第１の実施形態に係る磁気ディスク装置を示す平面図である。
【図２】図１に示す磁気ディスク装置の要部拡大縦断面図である。
【図３】図１に示す磁気ディスク装置の説明図である。
【図４】本発明の第２の実施形態に係る磁気ディスク装置を示す平面図である。
【図５】図４に示す磁気ディスク装置の要部拡大縦断面図である。
【符号の説明】
【００４１】
Ｘ１，Ｘ２      磁気ディスク装置
Ｃ，Ｃ’      開口面積可変機構（開口面積可変手段）
１１      磁気ディスク
１２      スピンドルモータ
１３      ヘッドアクチュエータ
１４      筐体
１３３    磁気ヘッド
１４２    通気孔
【図１】
2008097684.tif 000003
【図２】
2008097684.tif 000004
【図３】
2008097684.tif 000005
【図４】
2008097684.tif 000006
【図５】
2008097684.tif 000007